(57)【要約】【課題】景観を高め、安らぎを与える、灌水等の管理が容易で、直接芝に腰をかけることができる、イベント会場、公園、あるいは庭、屋上、バルコニー等で好適に使用される芝ベンチを提供する。【解決手段】上部が開放され側部及び／又は下部に排水口を具備した箱体内に、感温吸排水性樹脂を分散させた植生基盤に芝が植え付けられた緑化体が収納され、該緑化体が箱体の上面を形成した芝ベンチ。【選択図】図２
2005065637.tif 000002
【特許請求の範囲】
【請求項１】
上部が開放され側部及び／又は下部に排水口を具備した箱体内に、感温吸排水性樹脂を分散させた植生基盤に芝が植え付けられた緑化体が収納され、該緑化体が箱体の上面を形成することを特徴とする芝ベンチ。
【発明の詳細な説明】
【技術分野】
【０００１】
本発明は、イベント会場、公園、庭、屋上、バルコニー等の特に屋外で好適に使用される、芝の上に直接腰をかけることができる芝ベンチに関する。
【背景技術】
【０００２】
近年、住宅の屋上、バルコニー等を緑化することが一般に行われている。これらは、単に、プランターや植木鉢等を適当に配置する場合が多く、また、レンガ、ブロック等で枠組みをしてこの枠組内に植栽することもある。更に、これら植物と共にベンチを置くことも行われている。
【０００３】
また、多目的ホールや野外広場等のイベント会場では、休憩場所が設けられ、そこにはベンチと共に、美観を高めるため、あるいは安らぎを得るために植物が配置される。しかしながら、ベンチと植物とを別々に配置するのは手間がかかりコストアップを招くため、ベンチと植物が一体となったベンチが提案されている。
例えば、特許文献１には、筐体の内部に芝が収容され筐体の上部縁部に沿って腰掛け板が配設されたベンチユニットが、特許文献２には、芝の植え込みと開閉自在なカバーを備えたカバーの上面が座面となるベンチ、がそれぞれ開示されている。
しかしながら、これらベンチにおいては、土壌に芝が植え付けられていることから、その場で植え付け、養生をする必要があり煩雑となるばかりでなく、重量も重く、汚れやすいために芝に直接腰をかけることができず、また、注水機構、灌水等を必要とする等、その管理に多大なコストを要していた。
【特許文献１】特開平６−３１１９２０号公報
【特許文献２】特開２００２−７８４１８号公報
【発明の開示】
【発明が解決しようとする課題】
【０００４】
本発明は、これら従来のベンチの欠点を有しない、管理が容易で、直接芝に腰をかけることができる、イベント会場、公園あるいは庭、屋上、バルコニー等で好適に使用される芝ベンチを提供することを課題とする。
【課題を解決するための手段】
【０００５】
かかる課題は、感温吸排水性樹脂を分散させた植生基盤に芝を植え付けた緑化体を用いることで解決される。
すなわち本発明は、
（１）上部が開放され側部及び／又は下部に排水口を具備した箱体内に、感温吸排水性樹脂を分散させた植生基盤に芝が植え付けられた緑化体が収納され、該緑化体が箱体の上面を形成することを特徴とする芝ベンチ、
を提供するものである。
【発明の効果】
【０００６】
本発明は、感温吸排水性樹脂を用いているため、温度によって吸排水を繰り返し、例えば温度の高い昼は水を植生基盤に供給し、温度が低くなる夜は水を植生基盤から吸収することで、保水された水が有効に芝に作用し、一度膨潤させると夏期においても一週間に一度程度の灌水で、良好な芝生を維持できる。また、芝が植生基盤に植え付けられているため、圧力に対しても抵抗力があり、腰をかけても芝を過度に傷めることが少ない。更に、芝を植え替える場合も、緑化体を差し替えることにより容易に実施することができる。
【発明を実施するための最良の形態】
【０００７】
管理が容易で、直接芝に腰をかけることができる芝ベンチという目的を、感温吸排水性樹脂を分散させた植生基盤に芝が植え付けられている緑化体を用いることにより実現した。
【実施例１】
【０００８】
以下、図面を参照して本発明にかかる芝ベンチの実施の形態を詳細に説明する。
図１に、本発明の一実施例による芝ベンチ１の平面図を、図２に、芝ベンチ１の縦断面図を示す。
図１に示した芝ベンチ１は、平面長方形状に形成された箱体２、箱体内部に収納された緑化体３を備えている。図２に示すように、箱体２に脚４が具備された所定の高さの本例の芝ベンチは、箱体２の側下部に排水口５が具備され、上部が開放されている。排水口５は例えば大雨等で箱体２内に過剰の水が入った場合等にこれを排水するものであり、本例のように単に穴をあけたものでよく、また、コック等で排水口５を開閉できるようにしたものでもよい。
【０００９】
緑化体３は、箱体２内に収納されている。箱体２は、本例では長方形状で示したが、緑化体を収納できるものであればその形状、大きさは任意である。また、緑化体３は、防根シートを介して箱体２に収納することもできる。
【００１０】
緑化体３は、感温吸排水性樹脂６を分散させた植生基盤７に芝８が植え付けられたものである。
植生基盤７は、発泡プラスチック、ポーラスな鉱物系粒子の多孔体、ゴムチップの接着成型物などの連続気泡型多孔体、あるいは天然繊維、合成繊維を圧縮成型した繊維圧縮成型体であり、中でもポリウレタン系の合成樹脂発泡体が好ましい。植生基盤７は、例えば特開平１１−１０３６６２号等に記載の方法により容易に製造でき、植生基盤７の厚みは３〜１５ｃｍが好ましい。
植生基盤７は感温吸排水性樹脂６が０．１〜５％容量、好ましくは０．２〜２％容量、添加・分散されている。添加される感温吸排水性樹脂６は、特定の温度（以下、感温点という。）未満では水を吸収し、感温点以上では水を吸水せず低温で吸水していた水を外部に排出する樹脂をいい、例えば特開平７−２２４１１９号公報、同８−１０００１０号公報等に記載の、Ｎ−イソプロピルアクリルアミド等のＮ−アルキルアクリルアミドを主成分モノマーとして重合架橋させた樹脂等を例示する事が出来る。このタイプの感温吸排水性樹脂は、Ｎ−アルキルアクリルアミドと共重合するモノマーを適当に選択することにより、感温点を任意に設定することができる。
これら感温吸排水性樹脂６は、感温点の異なるもの、例えば感温点１０℃〜３５℃のものを混合して使用することが望ましい。
植生基盤７には、必要に応じて、イオン交換能を有する無機粒子を併せて分散させることもできる。
【００１１】
植生基盤７には芝８が植え付けられている。本例では植生基盤に、直接、芝を植え付けたものを示したが、芝の根等に付着した土壌を除去することなく、植生基盤７に植え付けたもので十分である。
【００１２】
本発明においては、芝に直接腰をかけられるため、緑化体３の植生基盤７（あるいは土壌）の上面が、箱体２の上部縁とほぼ同じ位置（高さ）にあることが望ましい。
【産業上の利用可能性】
【００１３】
本発明の芝ベンチは、管理が容易で、直接芝に腰をかけることができるため、イベント会場、公園、あるいは屋上、バルコニー等の特に屋外で、景観を高め、安らぎを得るため、好適に使用できる。
【図面の簡単な説明】
【００１４】
【図１】本発明の一実施例による芝ベンチの正面図である。
【図２】本発明の一実施例による芝ベンチの縦横断図である。
【符号の説明】
【００１５】
１    芝ベンチ
２    箱体
３    緑化体
４    脚
５    排水口
６    感温吸排水性樹脂
７    植生基盤
８    芝
【図１】
2005065637.tif 000003
【図２】
2005065637.tif 000004